(57)【要約】      （修正有）【課題】磁気による悪影響が外部に及ぶのを防止することができる家庭用永久磁石磁気治療器保管ケースを提供する。【解決手段】使用者の皮膚表面に貼り付けて用いる家庭用永久磁石磁気治療器を保管するための家庭用永久磁石磁気治療器保管ケース１００Ａであって、当該家庭用永久磁石磁気治療器保管ケース１００Ａは、家庭用永久磁石磁気治療器保管ケース１００Ａに保管されている家庭用永久磁石磁気治療器の磁気が外部に漏れ出ることを防止する磁気シールド機能を有する。例えば、家庭用永久磁石磁気治療器保管ケース１００Ａのケース部材１０１における天板１２０の外表面と、家庭用永久磁石磁気治療器保管ケース１００Ａのケース部材１０１における底板１１０の外表面とに、磁気シールド層１４０が貼り付けられている。【選択図】図２
0003157642.tif 000002
【実用新案登録請求の範囲】
【請求項１】
使用者の皮膚表面に貼り付けて用いる家庭用永久磁石磁気治療器を保管するための家庭用永久磁石磁気治療器保管ケースであって、
前記家庭用永久磁石磁気治療器保管ケースは、当該家庭用永久磁石磁気治療器保管ケースに保管されている前記家庭用永久磁石磁気治療器の磁気が外部に漏れ出ることを防止する磁気シールド機能を有することを特徴とする家庭用永久磁石磁気治療器保管ケース。
【請求項２】
請求項１に記載の家庭用永久磁石磁気治療器保管ケースにおいて、
前記家庭用永久磁石磁気治療器保管ケースのケース部材における天板の外表面又は内表面と、前記家庭用永久磁石磁気治療器保管ケースのケース部材における底板の外表面又は内表面とに、磁気シールド層が貼り付けられていることを特徴とする家庭用永久磁石磁気治療器保管ケース。
【請求項３】
請求項２に記載の家庭用永久磁石磁気治療器保管ケースにおいて、
前記家庭用永久磁石磁気治療器保管ケースのケース部材における側面の外表面又は内表面にも磁気シールド層が貼り付けられていることを特徴とする家庭用永久磁石磁気治療器保管ケース。
【請求項４】
請求項１に記載の家庭用永久磁石磁気治療器保管ケースにおいて、
前記家庭用永久磁石磁気治療器保管ケースのケース部材における天板の外表面又は内表面と、前記家庭用永久磁石磁気治療器保管ケースのケース部材における底板の外表面又は内表面とに、磁気シールド層が嵌め込みにより設けられていることを特徴とする家庭用永久磁石磁気治療器保管ケース。
【請求項５】
請求項４に記載の家庭用永久磁石磁気治療器保管ケースにおいて、
前記家庭用永久磁石磁気治療器保管ケースのケース部材における側面の外表面又は内表面にも磁気シールド層が嵌め込みにより設けられていることを特徴とする家庭用永久磁石磁気治療器保管ケース。
【請求項６】
請求項１に記載の家庭用永久磁石磁気治療器保管ケースにおいて、
前記家庭用永久磁石磁気治療器保管ケースを構成するケース部材の内部に、インサート成形により磁気シールド層が埋め込まれていることを特徴とする家庭用永久磁石磁気治療器保管ケース。
【請求項７】
請求項２〜６のいずれかに記載の家庭用永久磁石磁気治療器保管ケースにおいて、
前記磁気シールド層は、軟磁性金属材料からなる薄板からなることを特徴とする家庭用永久磁石磁気治療器保管ケース。
【請求項８】
請求項２〜６のいずれかに記載の家庭用永久磁石磁気治療器保管ケースにおいて、
前記磁気シールド層は、軟磁性金属材料からなる磁性粉末が分散された樹脂シートからなることを特徴とする家庭用永久磁石磁気治療器保管ケース。
【請求項９】
請求項１に記載の家庭用永久磁石磁気治療器保管ケースにおいて、
前記家庭用永久磁石磁気治療器保管ケースのケース部材における天板の外表面又は内表面と、前記家庭用永久磁石磁気治療器保管ケースのケース部材における底板の外表面又は内表面とに、軟磁性金属材料からなる磁性粉末を含有する塗料をコーティングすることにより形成した磁気シールド層が設けられていることを特徴とする家庭用永久磁石磁気治療器保管ケース。
【請求項１０】
請求項９に記載の家庭用永久磁石磁気治療器保管ケースにおいて、
前記家庭用永久磁石磁気治療器保管ケースのケース部材における側面の外表面又は内表面にも軟磁性金属材料からなる磁性粉末を含有する塗料をコーティングすることにより形成した磁気シールド層が設けられていることを特徴とする家庭用永久磁石磁気治療器保管ケース。
【請求項１１】
請求項１に記載の家庭用永久磁石磁気治療器保管ケースにおいて、
前記家庭用永久磁石磁気治療器保管ケースを構成するケース部材の内部に、軟磁性金属材料からなる磁性粉末が分散されてなることを特徴とする家庭用永久磁石磁気治療器保管ケース。
【請求項１２】
請求項７〜１１のいずれかに記載の家庭用永久磁石磁気治療器保管ケースにおいて、
前記軟磁性金属材料は、パーメンジュール、パーマロイ類、鉄、鉄−ケイ素系合金又は磁性鋼からなることを特徴とする家庭用永久磁石磁気治療器保管ケース。
【請求項１３】
請求項１〜１２のいずれかに記載の家庭用永久磁石磁気治療器保管ケースにおいて、
前記家庭用永久磁石磁気治療器保管ケースの内部には、前記家庭用永久磁石磁気治療器を個々に保持可能な凹部を有する家庭用永久磁石磁気治療器ホルダーが設けられることを特徴とする家庭用永久磁石磁気治療器保管ケース。
【請求項１４】
請求項１３に記載の家庭用永久磁石磁気治療器保管ケースにおいて、
前記凹部に保持されている家庭用永久磁石磁気治療器を前記凹部から取り出すための磁性部材でなる取り出し棒を有することを特徴とする家庭用永久磁石磁気治療器保管ケース。
【請求項１５】
請求項１〜１４のいずれかに記載の家庭用永久磁石磁気治療器保管ケースにおいて、
前記家庭用永久磁石磁気治療器保管ケースは、開口面を有する筐体と、前記筐体の開口面を覆う蓋体とを有することを特徴とする家庭用永久磁石磁気治療器保管ケース。
【請求項１６】
請求項１〜１４のいずれかに記載の家庭用永久磁石磁気治療器保管ケースにおいて、
前記家庭用永久磁石磁気治療器保管ケースは、開口面を有する筐体と、前記開口面から前記筐体に対して出し入れ可能な引き出し部とを有することを特徴とする家庭用永久磁石磁気治療器保管ケース。
【請求項１７】
請求項１〜１６に記載の家庭用永久磁石磁気治療器保管ケースにおいて、
前記家庭用永久磁石磁気治療器保管ケースは、合成樹脂部材からなることを特徴とする家庭用永久磁石磁気治療器保管ケース。
【考案の詳細な説明】
【技術分野】
【０００１】
本考案は、家庭用永久磁石磁気治療器を保管するための家庭用永久磁石磁気治療器保管ケースに関する。
【背景技術】
【０００２】
従来、磁気治療効果を目的として、家庭用永久磁石磁気治療器を絆創膏、パッチ、シール等（以下、貼り付け部材と記載。）により使用者の皮膚表面に貼り付けて用いる貼り付け部材付き家庭用永久磁石磁気治療器が広く知られている。
【０００３】
このような貼り付け部材付き家庭用永久磁石磁気治療器においては、家庭用永久磁石磁気治療器の磁気の影響が外部の物体等に及ぶことがある。特に、磁気を利用する記録媒体に対する影響は大きく、これらの記録媒体、ひいては記録媒体を使用する製品（例えば、キャッシュカード等の磁気カード類）を使用不可能にしてしまうおそれがあるという問題がある。
【０００４】
従来、このような問題を解決するための貼り付け部材付き家庭用永久磁石磁気治療器が知られている（例えば、特許文献１又は２参照。）。
【０００５】
図９は、特許文献１に記載されている貼り付け部材付き家庭用永久磁石磁気治療器８００を説明するために示す図である。なお、図９において符号Ｈで示すのは使用者の皮膚であり、他の図においても同様とする。貼り付け部材付き家庭用永久磁石磁気治療器８００は、図９に示すように、家庭用永久磁石磁気治療器８１０と、貼り付け部材としての絆創膏８４０とを備える。
【０００６】
家庭用永久磁石磁気治療器８１０は、永久磁石８２２及びシリコンゴム８２４を有する永久磁石部８２０と、永久磁石部８２０における使用者の皮膚Ｈ表面側以外の面に形成されている磁性コーティング層８３０とを有する。磁性コーティング層８３０は、めっき法で形成された鉄−コバルト合金の層である。
【０００７】
特許文献１に記載されている貼り付け部材付き家庭用永久磁石磁気治療器８００によれば、永久磁石部８２０における使用者の皮膚Ｈ表面側以外の面には、磁性コーティング層８３０が形成されているため、家庭用永久磁石磁気治療器８１０を絆創膏８４０によって皮膚Ｈに張り付けた状態においては、当該磁性コーティング層８３０により磁気をある程度遮蔽し、外部の物体等への磁気の影響を軽減することが可能となる。
【０００８】
図１０は、特許文献２に記載されている貼り付け部材付き家庭用永久磁石磁気治療器９００を説明するために示す断面図である。貼り付け部材付き家庭用永久磁石磁気治療器９００は、図１０に示すように、永久磁石からなる家庭用永久磁石磁気治療器９１０と、絆創膏９２０と、絆創膏９２０の外側に配置されている磁気シールド材９３０とを備える。
【０００９】
磁気シールド材９３０は、鉄−アルミニウム−ケイ素合金からなる磁性体の粉末を、ポリ塩化ビニルを用いてシート状に成形したものである。磁気シールド材９３０には、磁性体の粉末が８０重量％の割合で含まれている。
【００１０】
特許文献２に記載されている貼り付け部材付き家庭用永久磁石磁気治療器９００によれば、家庭用永久磁石磁気治療器９１０から見て、使用者の皮膚Ｈ表面側とは反対側に磁気シールド材９３０が配置されているため、家庭用永久磁石磁気治療器９１０を絆創膏９２０によって皮膚Ｈに張り付けた状態においては、当該磁気シールド材９３０により磁気をある程度遮蔽し、特許文献１に記載されている貼り付け部材付き家庭用永久磁石磁気治療器８００と同様に、外部の物体等への磁気の影響を軽減することが可能となる。
【先行技術文献】
【特許文献】
【００１１】
【特許文献１】特開平５―４９７０６号公報
【特許文献２】特開平７―２８９６５２号公報
【考案の概要】
【考案が解決しようとする課題】
【００１２】
特許文献１に記載された貼り付け部材付き家庭用永久磁石磁気治療器８００は、家庭用永久磁石磁気治療器８１０を皮膚Ｈから取り外して保管しておくような場合は、磁性コーティング層８３０が家庭用永久磁石磁気治療器８１０の一方の面にしか施されていないので、外部の物体等に対して磁気の影響を与えるおそれがある。このため、家庭用永久磁石磁気治療器８１０をそのままバッグなどに入れたとすると、バッグ内に入っている磁気カード類に悪影響を及ぼすおそれがある。
【００１３】
特許文献２に記載された貼り付け部材付き家庭用永久磁石磁気治療器９００も、家庭用永久磁石磁気治療器９１０を皮膚Ｈから取り外して保管しておくような場合は、外部の物体等に対して磁気の影響を与えるおそれがある。特に、特許文献２に記載された貼り付け部材付き家庭用永久磁石磁気治療器９００は、磁気シールド材９３０が家庭用永久磁石磁気治療器９１０そのものではなく、絆創膏９２０の外側に形成されているものである。このため、絆創膏９２０を剥がした状態では、家庭用永久磁石磁気治療器９１０は、磁気に対する遮蔽が何等なされていない状態となり、外部の物体等に対して与える磁気の影響はより大きなものとなる。
【００１４】
また、この種の家庭用永久磁石磁気治療器は、家庭用永久磁石磁気治療器の直径が数ｍｍ〜１０数ｍｍ程度であり、きわめて小さいものが一般的である。このため、皮膚から外して保管する際、保管場所を忘れてしまったり、引き出しなどにしまった場合、物の陰に隠れて目に付きにくくなってしまったりするおそれもある。
【００１５】
そこで、家庭用永久磁石磁気治療器を保管するための家庭用永久磁石磁気治療器保管用ケースがあると便利であるが、家庭用永久磁石磁気治療器保管ケースが合成樹脂、紙又は布などの非磁性部材で製造されたものであると、家庭用永久磁石磁気治療器保管ケースに保管された家庭用永久磁石磁気治療器の磁気が家庭用永久磁石磁気治療器保管ケース外に漏れて磁気カード類などに悪影響を及ぼすおそれがある。
【００１６】
このため、家庭用永久磁石磁気治療器を収納した家庭用永久磁石磁気治療器保管ケースをバッグなどに入れて持ち運ぶと、上記したように、バッグ内に入っている磁気カード類などに悪影響を及ぼすおそれがある。
【００１７】
そこで本考案は、磁気による悪影響が外部に及ぶのを防止することができる家庭用永久磁石磁気治療器保管ケースを提供することを目的とする。
【課題を解決するための手段】
【００１８】
[１]本考案の家庭用磁気永久磁石磁気治療器保管ケースは、使用者の皮膚表面に貼り付けて用いる家庭用永久磁石磁気治療器を保管するための家庭用永久磁石磁気治療器保管ケースであって、前記家庭用永久磁石磁気治療器保管ケースは、当該家庭用永久磁石磁気治療器保管ケースに保管されている前記家庭用永久磁石磁気治療器の磁気が外部に漏れ出ることを防止する磁気シールド機能を有することを特徴とする。
る。
【００１９】
このように、家庭用永久磁石磁気治療器保管ケースが磁気シールド機能を有しているため、当該家庭用永久磁石磁気治療器保管ケースに家庭用永久磁石磁気治療器を保管したとき、家庭用永久磁石磁気治療器の磁気が外部の物体（磁気カード類など）に悪影響を及ぼすのを防止することができる。また、家庭用永久磁石磁気治療器の非使用時には、当該家庭用永久磁石磁気治療器を家庭用永久磁石磁気治療器保管ケースに入れて保管することによって、家庭用永久磁石磁気治療器の存在を見失うことがなくなり、長期間にわたって当該家庭用永久磁石磁気治療器を使用することができる。
【００２０】
[２]本考案の家庭用磁気永久磁石磁気治療器保管ケースにおいては、前記家庭用永久磁石磁気治療器保管ケースのケース部材における天板の外表面又は内表面と、前記家庭用永久磁石磁気治療器保管ケースのケース部材における底板の外表面又は内表面とに、磁気シールド層が貼り付けられていることを特徴とする。
【００２１】
このような構成とすることによって、家庭用永久磁石磁気治療器保管ケースの磁気シールド効果を有効に発揮することできる。すなわち、家庭用永久磁石磁気治療器は円盤状をなすものが一般的であり、このような形状の家庭用永久磁石磁気治療器を家庭用永久磁石磁気治療器保管ケースに保管した場合、円盤状の家庭用永久磁石磁気治療器の上端面又は下端面が家庭用永久磁石磁気治療器保管ケースの天板及び底板に対向した状態で保管されることが多い。このため、個々の家庭用永久磁石磁気治療器の磁気は、主には家庭用永久磁石磁気治療器保管ケースのケース部材における天板側又は底板側に作用するので、家庭用永久磁石磁気治療器保管ケースのケース部材における天板及び底板のみに磁気シールド層を形成するだけでも高い磁気シールド効果を得ることができる。
【００２２】
[３]本考案の家庭用磁気永久磁石磁気治療器保管ケースにおいては、前記家庭用永久磁石磁気治療器保管ケースのケース部材における側面の外表面又は内表面にも磁気シールド層が貼り付けられていることが好ましい。
【００２３】
このような構成とすることによって、家庭用永久磁石磁気治療器保管ケースの磁気シールド効果をより有効に発揮することできる。
【００２４】
[４]本考案の家庭用磁気永久磁石磁気治療器保管ケースにおいては、前記家庭用永久磁石磁気治療器保管ケースのケース部材における天板の外表面又は内表面と、前記家庭用永久磁石磁気治療器保管ケースのケース部材における底板の外表面又は内表面とに、磁気シールド層が嵌め込みにより設けられていることも好ましい。
【００２５】
このような構成としても家庭用永久磁石磁気治療器保管ケースに磁気シールド機能を持たせることができる。
【００２６】
[５]本考案の家庭用磁気永久磁石磁気治療器保管ケースにおいては、前記家庭用永久磁石磁気治療器保管ケースのケース部材における側面の外表面又は内表面にも磁気シールド層が嵌め込みにより設けられていることが好ましい。
【００２７】
このような構成とすることによって、家庭用永久磁石磁気治療器保管ケースの磁気シールド効果をより有効に発揮することできる。
【００２８】
[６]本考案の家庭用磁気永久磁石磁気治療器保管ケースにおいては、前記家庭用永久磁石磁気治療器保管ケースを構成するケース部材の内部に、インサート成形により磁気シールド層が埋め込まれていることが好ましい。
【００２９】
このような構成とすることによっても、家庭用永久磁石磁気治療器保管ケースの磁気シールド効果をより有効に発揮することできる。
【００３０】
[７]本考案の家庭用磁気永久磁石磁気治療器保管ケースにおいては、前記磁気シールド層は、軟磁性金属材料からなる薄板からなることが好ましい。
【００３１】
このように、軟磁性金属材料からなる薄板を用いることにより、容易かつ適切に磁気シールド層を形成することができる。
【００３２】
[８]本考案の家庭用磁気永久磁石磁気治療器保管ケースにおいては、前記磁気シールド層は、軟磁性金属材料からなる磁性粉末が分散された樹脂シートからなることも好ましい。
【００３３】
このように、軟磁性金属材料からなる磁性粉末が分散された樹脂シートを用いることにより、容易かつ適切に磁気シールド層を形成することができる。
【００３４】
[９]本考案の家庭用磁気永久磁石磁気治療器保管ケースにおいては、前記家庭用永久磁石磁気治療器保管ケースのケース部材における天板の外表面又は内表面と、前記家庭用永久磁石磁気治療器保管ケースのケース部材における底板の外表面又は内表面とに、軟磁性金属材料からなる磁性粉末を含有する塗料をコーティングすることにより形成した磁気シールド層が設けられていることもまた好ましい。
【００３５】
このように、軟磁性金属材料からなる磁性粉末を含有する塗料をコーティングすることによっても容易かつ適切に磁気シールド層を形成することができる。なお、磁性粉末を含有する塗料のコーティングの仕方としては、磁性粉末を含有する塗料を刷毛などで塗布するようにしてもよく、磁性粉末を含有する塗料をスプレーなどにより吹き付けてもよく、また、印刷によってコーティングするようにしてもよい。
【００３６】
[１０]本考案の家庭用磁気永久磁石磁気治療器保管ケースにおいては、前記家庭用永久磁石磁気治療器保管ケースのケース部材における側面の外表面又は内表面にも軟磁性金属材料からなる磁性粉末を含有する塗料をコーティングすることにより形成した磁気シールド層が設けられていることが好ましい。
【００３７】
このような構成とすることによって、家庭用永久磁石磁気治療器保管ケースの磁気シールド効果をより有効に発揮することできる。
【００３８】
[１１]本考案の家庭用磁気永久磁石磁気治療器保管ケースにおいては、前記家庭用永久磁石磁気治療器保管ケースを構成するケース部材の内部に、軟磁性金属材料からなる磁性粉末が分散されてなることもまた好ましい。
【００３９】
このような構成とすることによっても、家庭用永久磁石磁気治療器保管ケースの磁気シールド効果をより有効に発揮することできる。
【００４０】
［１２]本考案の家庭用磁気永久磁石磁気治療器保管ケースにおいては、前記軟磁性金属材料は、パーメンジュール、パーマロイ類、鉄、鉄−ケイ素系合金又は磁性鋼からなることが好ましい。
【００４１】
パーメンジュール、パーマロイ類、鉄、鉄−ケイ素系合金及び磁性鋼は、軟磁性金属材料の中でも磁気シールド効果が高く、かつ、強度も高い、このような軟磁性金属を用いることにより、家庭用永久磁石磁気治療器の磁気を十分に遮蔽することができ、かつ、十分な強度を有する家庭用永久磁石磁気治療器保管ケースとすることができる。
【００４２】
なお、パーメンジュールとは、およそ等量の鉄とコバルトとを含有する合金をいう。また、パーマロイ類とは、ニッケル及び鉄を主成分とする合金の総称をいう。具体例としては、ニッケルの含有率が７８．５％付近である７８−パーマロイや、７８−パーマロイにさらに５％ほどのモリブデンを含有させたスーパーマロイ等を挙げることができる。
【００４３】
また、ここでいう鉄とは、不純物元素の含有量が非常に少ない鉄（例えば、炭素含有量が０．０２％以下）のことをいう。また、鉄−ケイ素系合金とは、鉄を主成分とし、合金成分として主にケイ素を含むものをいう。鉄−ケイ素系合金は、他の合金成分としてアルミニウム等を含むこともある。また、磁性鋼とは、一般に鋼と呼ばれるもののうち磁性を有するものをいう。具体例としては、フェライト系ステンレス鋼、マルテンサイト系ステンレス鋼、炭素工具鋼、合金工具鋼及び高速度鋼を挙げることができる。
【００４４】
[１３]本考案の家庭用磁気永久磁石磁気治療器保管ケースにおいては、前記家庭用永久磁石磁気治療器保管ケースの内部には、前記家庭用永久磁石磁気治療器を個々に保持可能な凹部を有する家庭用永久磁石磁気治療器ホルダーが設けられることが好ましい。
【００４５】
このような家庭用永久磁石磁気治療器ホルダーが設けられることによって、家庭用永久磁石磁気治療器を整列した状態で保管することができ、複数の家庭用永久磁石磁気治療器を保管した場合、複数の磁気治療器同士が擦れ合ったり、ぶつかり合ったりすることがなくなり、磁気治療器の損傷を防止することができる。また、家庭用永久磁石磁気治療器同士が互いに吸着し合って団子状となってしまうのを防ぐことができる。また、整然とした状態で保持されるので見た目にも好ましいものとなる。
【００４６】
[１４]本考案の家庭用磁気永久磁石磁気治療器保管ケースにおいては、前記凹部に保持されている家庭用永久磁石磁気治療器を前記凹部から取り出すための磁性部材でなる取り出し棒を有することが好ましい。
このような取り出し棒を有することにより、家庭用永久磁石磁気治療器ホルダーの凹部に保持されている家庭用永久磁石磁気治療器を容易に取り出すことができる。
【００４７】
[１５]本考案の家庭用磁気永久磁石磁気治療器保管ケースにおいては、前記家庭用永久磁石磁気治療器保管ケースは、開口面を有する筐体と、前記筐体の開口面を覆う蓋体とを有することが好ましい。
【００４８】
このような構成とすることにより、家庭用永久磁石磁気治療器保管ケースの開閉を容易に行うことができる。この場合、家庭用永久磁石磁気治療器保管ケースの内面は、蓋体の内面及び筐体の内面それぞれを指しており、家庭用永久磁石磁気治療器保管ケースの外面は、蓋体の外面及び筐体の外面それぞれを指している。
【００４９】
[１６]本考案の家庭用磁気永久磁石磁気治療器保管ケースにおいては、前記家庭用永久磁石磁気治療器保管ケースは、開口面を有する筐体と、前記開口面から前記筐体に対して出し入れ可能な引き出し部とを有することも好ましい。
【００５０】
家庭用永久磁石磁気治療器保管ケースをこのような構成とすることも可能である。この場合、家庭用永久磁石磁気治療器保管ケースの内面は、筐体の内面及び引き出し部の内面それぞれを指しており、家庭用永久磁石磁気治療器保管ケースの外面は、筐体の外面及び引き出し部の外面それぞれを指している。
【００５１】
[１７]本考案の家庭用磁気永久磁石磁気治療器保管ケースにおいては、前記家庭用永久磁石磁気治療器保管ケースは、合成樹脂部材からなることが好ましい。
【００５２】
このように、家庭用永久磁石磁気治療器保管ケースそのものの素材として合成樹脂材を用いることにより、家庭用永久磁石磁気治療器保管ケースを軽量なものとすることができるとともに、安価に製造することができる。また、合成樹脂材を用いることにより、家庭用永久磁石磁気治療器保管ケースを直方体、立方体、円筒形状、かまぼこ型など様々な形状とすることも容易である。
【図面の簡単な説明】
【００５３】
【図１】実施形態１に係る家庭用永久磁石磁気治療器保管ケース１００Ａの構成を示す斜視図である。
【図２】実施形態１に係る家庭用永久磁石磁気治療器保管ケース１００Ａに磁気シールド機能を設けた状態を示す斜視図である。
【図３】家庭用永久磁石磁気治療器ホルダー２００を示す斜視図である。
【図４】実施形態２に係る家庭用永久磁石磁気治療器保管ケース１００Ｂの構成を示す斜視図である。
【図５】実施形態２に係る家庭用永久磁石磁気治療器保管ケース１００Ｂに磁気シールド機能を設けた状態を示す斜視図である。
【図６】実施形態１に係る家庭用永久磁石磁気治療器保管ケース１００Ａの変形例を示す斜視図である。
【図７】実施形態２に係る家庭用永久磁石磁気治療器保管ケース１００Ｂの変形例を示す斜視図である
【図８】実施形態１に係る家庭用永久磁石磁気治療器保管ケース１００Ａ及び実施形態１に係る家庭用永久磁石磁気治療器保管ケース１００Ｂに磁気シールド設けるためのの手段の変形例を示す図である。
【図９】特許文献１に記載されている家庭用永久磁石磁気治療器８００を説明するために示す図である。
【図１０】特許文献２に記載されている家庭用永久磁石磁気治療器９００を説明するために示す断面図である。
【考案を実施するための形態】
【００５４】
以下、本考案の実施形態について説明する。
【００５５】
［実施形態１］
図１は、実施形態１に係る家庭用永久磁石磁気治療器保管ケース１００Ａの構成を示す斜視図である。なお、図１は家庭用永久磁石磁気治療器保管ケース１００Ａ（以下、保管ケース１００Ａと記載。）に磁気シールド機能が設けられる前の状態を示している。
【００５６】
図１（ａ）は保管ケース１００Ａのケース部材１０１における天板（蓋体１２０の表面）側を上にした状態を示す図であり、図１（ｂ）は保管ケース１００Ａのケース部材１０１における底板（筐体１１０の外側底面）側を下にした状態を示す図であり、図１（ｃ）は、図１（ａ）において蓋体１２０を開いた状態を示す図である。
【００５７】
実施形態１に係る保管ケース１００Ａは、図１に示すように、上端側が開口面となっている筐体１１０と、筐体１１０の開口面を覆うように設けられた蓋体１２０とを有している。なお、保管ケース１００Ａの全体的な形状は、蓋体１２０を閉じた状態においては直方体であるとする。また、筐体１１０及び蓋体１２０は、透明な合成樹脂製であるとする。
【００５８】
また、図１において、符号「１１０ａ」は、保管ケース１００Ａのケース部材１０１における底板の外表面を示し、符号「１１０ｂ」は、保管ケース１００Ａのケース部材１０１における底板の内表面を示している。また、符号「１２０ａ」は、保管ケース１００Ａのケース部材１０１における天板の外表面を示し、符号「１２０ｂ」は、保管ケース１００Ａのケース部材１０１における天板の内表面を示している。なお、以下では、「保管ケース１００Ａのケース部材１０１における」を省略して「底板の外表面１１０ａ」、「底板の内表面１１０ｂ」、「天板の外表面１２０ａ」、「天板の内表面１２０ｂ」と記載する。
【００５９】
なお、実施形態１に係る保管ケース１００Ａにおいては、底板の外表面１１０ａは、筐体１１０の裏面に相当し、底板の内表面１１０ｂは、筐体１１０の内部底面に相当する。また、天板の外表面１２０ａは、蓋体１２０の表面に相当し、天板の内表面１２０ｂは、蓋体１２０の裏面に相当する。
【００６０】
蓋体１２０は、筐体１１０に対して後側の辺１２１がヒンジ部１３０よって接続されており、当該ヒンジ部１３０を支点にして矢印ａ−ａ’方向に回動可能となっている。そして、蓋体１２０の前側の辺１２２には、突起１２３が設けられており、また、筐体１１０側には蓋体１２０の突起１２３が係合される係合孔１１１が設けられている。このため、蓋体１２０を閉じた状態とすると、蓋体１２０に設けられた突起１２３が筐体１１０側に設けられた係合孔１１１に係合することによって、蓋体１２０の閉状態を保持することができるようになっている。
【００６１】
なお、蓋体１２０を開けるには、例えば、筐体１１０が弾力性を有する合成樹脂製であれば、筐体１１０の係合孔１１１の周辺付近を押圧することによって蓋体１２０の突起１２３と係合孔１１１との係合が外れて、蓋体１２０を開けることができる。
【００６２】
図２は、実施形態１に係る保管ケース１００Ａに磁気シールド機能を設けた状態を示す斜視図である。なお、図２（ａ）〜図２（ｃ）は、図１（ａ）〜図１（ｃ）に対応する図である。
【００６３】
実施形態１に係る保管ケース１００Ａにおいては、天板の外表面１２０ａと、底板の外表面１１０ａとにそれぞれ磁気シールド層が設けられている。磁気シールド層は、天板の外表面１２０ａと、底板の外表面１１０ａとに薄板状（以下、シート状と記載。）の磁性部材１４０を貼り付けることによって設ける。なお、図１において、灰色で示した領域は、磁性部材１４０が貼り付けられることによって磁気シールド層が設けられた領域であることを示している。
【００６４】
磁性部材１４０は、軟磁性金属材料（例えば、パーメンジュール、パーマロイ類、鉄、鉄−ケイ素系合金又は磁性鋼）を用いることができ、これらの軟磁性金属部材をシート状としたものであり、その厚みは１００μｍ〜１０００μｍ程度であることが好ましい。
【００６５】
実施形態１に係る保管ケース１００Ａは、複数の家庭用永久磁石磁気治療器（以下、磁気治療器と記載。）を収納することが可能であり、複数の磁気治療器を収納する際は、複数の磁気治療器を無造作にばらばらに収納するものであってもよいが、複数個の磁気治療器を保持する家庭用永久磁石磁気治療器ホルダーを保管ケース１００Ａ内に設けるようにすることが好ましい。
【００６６】
図３は、家庭用永久磁石磁気治療器ホルダー２００を示す斜視図である。図３（ａ）は家庭用永久磁石磁気治療器ホルダー（以下、磁気治療器ホルダーと記載。）２００を取り出して示す図であり、図３（ｂ）は磁気治療器ホルダー２００を保管ケース１００Ａ内に設けた場合を示す図である。なお、図３において図１及び図２と同一構成要素には同一符号が付されている。
【００６７】
磁気治療器ホルダー２００は、図３に示すように、円盤状の磁気治療器３００を個々の磁気治療器ごとに整列した状態で保持可能な凹部２１０が複数個（図３においては６個）設けられている。なお、磁気治療器３００は、直径が５ｍｍ〜２０ｍｍ程度で厚み１ｍｍ〜２ｍｍ程度の円盤状の磁気治療器であるとする。
【００６８】
また、磁気治療器ホルダー２００には、磁気治療器３００を取り出すための磁性部材でなる取り出し棒２２０が設けられている。この取り出し棒２２０は、凹部２１０に保持されている磁気治療器３００を取り出す際に用いるものであり、通常時は、磁気治療器ホルダー２００の取り出し棒保持部２３０に保持されている。
【００６９】
なお、磁気治療器ホルダー２００は、磁気治療器３００を保持した状態としたときに、磁気治療器３００が各凹部２１０内において容易には動かないように保持できるものが好ましく、さらに、見映えの良いものが好ましい。これらの点を考慮すると、磁気治療器ホルダー２００は、厚紙や合成樹脂などからなる板材に磁気治療器３００がすっぽりと入る円形状の凹部を複数個形成し、このような凹部が形成された板材に高級感のある柔らかな布を貼ったものなどが好ましい。
【００７０】
このような磁気治療器ホルダー２００に、磁気治療器３００を保持させる場合は、磁気治療器３００を磁気治療器ホルダー２００に設けられている凹部２１０に押し込むように挿入する。これにより、磁気治療器３００は布の弾力で保持されるため、外力を与えない限り凹部２１０から磁気治療器３００が自然に外れてしまうといったことはない。
【００７１】
また、底板の外表面１１０ａ（筐体１１０の裏面）にシート状の磁性部材１４０が貼り付けられていることにより、磁気治療器ホルダー２００に保持された磁気治療器３００の吸着力が磁性部材１４０に対して働くため、磁気治療器３００は安定的に磁気治療器ホルダー２００に保持されるようになる。
【００７２】
このため、保管ケース１００Ａを傾けた場合でも、磁気治療器３００は、容易には磁気治療器ホルダー２００から外れることがない。なお、実施形態１に係る保管ケース１００Ａにおいては、底板の外表面１１０ａに磁性部材１４０が貼り付けられているが、底板の内表面１１０ｂに磁性部材１４０を貼り付けるようにすれば、磁気治療器３００の磁性部材１４０に対する吸着力はより大きくなるので、上記した効果はより大きなものとなる。
【００７３】
また、保管ケース１００Ａ内に磁気治療器ホルダー２００が設けられることにより、複数の磁気治療器３００が個々の磁気治療器ごとに整列した状態で保持された状態となるため、磁気治療器３００同士が擦れ合ったり、ぶつかり合ったりすることがなくなり、磁気治療器の損傷を防止することができる。また、磁気治療器３００同士が互いに吸着し合って団子状となってしまうのを防ぐことができる。また、整然とした状態で保持されるので見た目にも好ましいものとなる。
【００７４】
なお、保管ケース１００Ａから磁気治療器３００を取り出す際は、取り出し棒２２０を取り出し棒保持部２３０から取り外して、取り出し棒２２０の先端部を凹部２１０に保持されている磁気治療器３００に押し当てることによって磁気治療器３００を吸着させて、磁気治療器３００を凹部２１０から取り出す。このようにすることによって、磁気治療器ホルダー２００から容易に磁気治療器３００を取り出すことができる。
【００７５】
また、磁気治療器３００は円盤状であるため、当該磁気治療器３００が磁気治療器ホルダー２００に整列した状態で保持されることにより、個々の磁気治療器３００の上端面又は下端面が保管ケース１００Ａのケース部材における天板又は底板にそれぞれ対向した状態で保持される。このため、個々の磁気治療器３００の磁気は、主には保管ケース１００Ａの上下方向に作用するので、天板の外表面１２０ａ及び底板の外表面１１０ａのみに磁気シールド層を形成するだけでも十分な磁気シールド効果を得ることができる。
【００７６】
また、実施形態１に係る保管ケース１００Ａは、保管ケース１００Ａの筐体１１０及び蓋体１２０が透明の合成樹脂からなるものであるため、天板の外表面１２０ａ及び底板の外表面１２０ｂのみに磁性部材１４０を貼り付けた構成とすることにより、保管ケース１００Ａの側面側からは、保管ケース１００Ａの内部を見通すことができる。
【００７７】
このため、磁気治療器３００が永久磁石を収納するケースの部材として金、白金又はパラジウムなど貴金属としての価値のある材料が用いられているものである場合には、保管ケース１００Ａの内部が見通せることにより、保管ケース１００Ａに保管されている磁気治療器３００が貴金属のようにも見えるので、保管ケース１００Ａを「貴金属入れ」のような感覚で用いることができる。
【００７８】
なお、保管ケース１００Ａの筐体１１０の深さ（上下方向の高さ）を所定の深さとすることにより、磁気治療器ホルダー２００を、保管ケース１００Ａ内に複数段重ねるように設けることも可能である。このようにすることによって、多数の磁気治療器を整列した状態で保持することができる。
【００７９】
［実施形態２］
図４は、実施形態２に係る家庭用永久磁石磁気治療器保管ケース１００Ｂの構成を示す斜視図である。なお、図４は、保管ケース１００Ｂのケース部材１０１における天板側を上にし、かつ、引き出し部１６０を筐体１５０から引き出した状態を示す図である。また、図４は家庭用永久磁石磁気治療器保管ケース１００Ｂ（以下、保管ケース１００Ｂと記載。）に磁気シールド機能が設けられる前の状態を示している。
【００８０】
実施形態２に係る保管ケース１００Ｂは、図４に示すように、４つ側面のうちの１つの側面が開口面となっている筐体１５０と、筐体１５０の開口面において筐体１５０に対して矢印ｂ−ｂ’方向に出し入れ可能な引き出し部１６０とを有する。
【００８１】
また、図４において、符号「１５１ａ」は、保管ケース１００Ｂのケース部材１０１における底板の外表面を示し、符号「１５１ｂ」は、保管ケース１００Ｂのケース部材１０１における底板の内表面を示している。また、符号「１５２ａ」は、保管ケース１００Ｂのケース部材１０１における天板の外表面を示し、符号「１５２ｂ」は、保管ケース１００Ｂのケース部材１０１における天板の内表面を示している。なお、以下では、「保管ケース１００Ｂのケース部材１０１における」を省略して「底板の外表面１５１ａ」、「底板の内表面１５１ｂ」、「天板の外表面１５２ａ」、「天板の内表面１５２ｂ」と記載知する。また、底板の外表面１５１ａ及び天板の内表面１５２ｂは図４においては目視できない位置にある。
【００８２】
図５は、実施形態２に係る保管ケース１００Ｂに磁気シールド機能を設けた状態を示す斜視図である。なお、図５（ａ）は、ケース部材１０１における天板側を上にし、かつ、引き出し部１６０を筐体１５０内に収納した状態を示す図であり、図５（ｂ）は、図５（ａ）において引き出し部１６０を筐体１５０から半分程度引き出した状態を示す図である。
【００８３】
実施形態２に係る保管ケース１００Ｂにおいては、天板の外表面１５２ａと、底板の外表面１５１ａとにそれぞれ磁気シールド層が設けられている。磁気シールド層は、実施形態１に係る保管ケース１００Ａと同様に、シート状の磁性部材１４０を貼り付けることによって設ける。なお、図５において、灰色で示した領域は磁性部材１４０が貼り付けられた領域であることを示している。図５においては、底板の外表面１５１ａは目視できない位置となっているが、底板の外表面１５１ａにおいても磁性部材１４０が貼り付けられている。
【００８４】
実施形態２に係る保管ケース１００Ｂにおいても、図４に示すように、天板の外表面１５２ａと、底板の外表面１５１ａとに、それぞれ磁気シールド層が設けられることにより、保管ケース１００Ｂは磁気シールド機能を有するものとなる。このため、実施形態２に係る保管ケース１００Ｂにおいても、実施形態１に係る保管ケース１００Ａと同様の磁気シールド効果を得ることができる。
【００８５】
なお、実施形態２に係る保管ケース１００Ｂにおいても、磁気治療器ホルダー２００を設けることが可能であることは勿論である。実施形態２に係る保管ケース１００Ｂの場合には、磁気治療器ホルダー２００は、引き出し部１６０内に設けられる。
【００８６】
なお、本考案は上述の実施形態に限られるものではなく、本考案の要旨を逸脱しない範囲で種々変形実施可能となるものである。例えば、下記（１）〜（６）に示すような変形実施も可能である。
【００８７】
（１）実施形態１に係る保管ケース１００Ａにおいては、天板の外表面１２０ａと底板の外表面１１０ａとに磁気シールド層を設ける場合を例示し、実施形態２に係る保管ケース１００Ｂにおいては、保管ケースＢにおける天板の内表面１５２ａと底板の外表面１５１ａとに磁気シールド層を設ける場合を例示したが、磁気シールド層は、他の面に形成することも可能である。
【００８８】
図６は、実施形態１に係る保管ケース１００Ａの変形例を示す斜視図である。図６は図２（ａ）に対応する図である。図６に示すように、天板の外表面１２０ａと底板の外表面１１０ａとに加えて、ケース部材１０１における各側面の外表面にも磁気シールド層を形成するようにしてもよい。なお、磁気シールド層は、実施形態１に係る保管ケース１００Ａと同様に、シート状の磁性部材１４０を貼り付けることによって設けることができる。図６において、灰色で示した領域は磁性部材１４０が貼り付けられることによって磁気シールド層が設けられた領域であることを示している。
【００８９】
図７は、実施形態２に係る保管ケース１００Ｂの変形例を示す斜視図である。なお、図５（ｂ）に対応する図である。図７に示すように、天板の外表面１５２ａと底板の外表面１５１ａとに加えて、ケース部材１０１における各側面の外表面にも磁気シールド層が設けられている。なお、この場合、ケース部材１０１の各側面というのは、筐体１５０の開口面を除く３つの側面及び引き出し部１６０の前面（引き出し部１６０を筐体１５０に押し込んだ状態のときに露出する面）であるとする。
【００９０】
また、磁気シールド層は、実施形態２に係る保管ケース１００Ｂと同様に、シート状の磁性部材１４０を貼り付けることによって形成することができる。なお、図７において、灰色で示した領域は磁性部材１４０が貼り付けられることによって磁気シールド層が設けられた領域であることを示している。
【００９１】
図６及び図７に示すように、保管ケース１００Ａ，１００Ｂの６つの面すべてに磁気シールド層を形成することによって、保管ケース１００Ａ，１００Ｂの外部に露出するすべての面に磁気シールド層が設けられた状態となる。このため、保管ケース１００Ａ及び保管ケース１００Ｂの磁気シールド効果をより一層高めることができ、例えば、保管ケース１００Ａ及び保管ケース１００Ｂ内に保管されている磁気治療器３００がどのような向きとなっていても磁気治療器３００の磁気を確実に遮蔽することができる。
【００９２】
また、実施形態１に係る保管ケース１００Ａ及び実施形態２に係る保管ケース１００Ｂにおいて、天板の外表面１２０ａと底板の外表面１１０ａとに磁気シールド層を設けるのではなく、天板の外表面１２０ａと底板の内表面１１０ｂとに磁気シールド層を設けるようにしてもよく、また、天板の内表面１２０ｂと底板の外表面１１０ａとに磁気シールド層を設けるようにしてもよく、また、天板の内表面１２０ｂと底板の内表面１１０ｂとに磁気シールド層を設けるようにしてもよい。また、実施形態２に係る保管ケース１００Ｂにおいては、引き出し部１６０における底面の内側又は外側に磁気シールド層を設けるようにしてもよい。
【００９３】
（２）実施形態１に係る保管ケース１００Ａ及び実施形態２に係る保管ケース１００Ｂに磁気シールド機能を持たせるための手段としては、図８に示すように様々な変形例が考えられる。
【００９４】
図８は、実施形態１に係る保管ケース１００Ａ及び実施形態１に係る保管ケース１００Ｂに磁気シールド機能を設けるための手段の変形例を示す図である。なお、ここでは、実施形態１に係る保管ケース１００Ａを例にとって説明する。また、図８は図１におけるＡ−Ａ’線の矢視断面図である。
【００９５】
図８（ａ）は、天板の内表面１２０ｂと底板の内表面１１０ｂとにシート状の磁性部材１４０を貼り付けることによって磁気シールド層を形成し、それによって保管ケース１００Ａに磁気シールド機能を持たせるようにした例である。
【００９６】
また、図８（ｂ）は、天板の内表面１２０ｂと底板の内表面１１０ｂとにシート状の磁性部材１４０を嵌め込むことによって磁気シールド層を形成し、それによって保管ケース１００Ａに磁気シールド機能を持たせるようにした例である。この場合、シート状の磁性部材１４０を嵌め込むための溝Ｓ１を蓋体１２０の裏側において対向する２つ側面に設けるとともに、蓋体１２０側においてもシート状の磁性部材１４０を嵌め込むための溝Ｓ２を設ける。これらの溝Ｓ１，Ｓ２にそれぞれシート状の磁性部材１４０の側縁部をそれぞれ嵌め込むことによってシート状の磁性部材１４０を取り付けることができる。
【００９７】
図８（ｃ）は、軟磁性金属部材からなる磁性粉末が分散されている樹脂シート１４２を天板の外表面１２０ａと底板の外表面１１０ａとに貼り付けることによって磁気シールド層を形成し、それによって保管ケース１００Ａに磁気シールド機能を持たせるようにした例である。なお、図示は省略するが、天板の外表面１２０ａと底板の外表面１１０ａとではなく、天板の内表面１２０ｂと底板の内表面１１０ｂとに樹脂シート１４２を貼り付けるようにしてもよい。
【００９８】
また、図８（ｄ）は、天板の外表面１２０ａと底板の外表面１１０ａとに軟磁性金属部材からなる磁性粉末を含有する塗料１４３をコーティングすることによって磁気シールド層を形成し、それによって保管ケース１００Ａに磁気シールド機能を持たせるようにした例である。
【００９９】
なお、磁性粉末を含有する塗料１４３のコーティングの仕方としては、磁性粉末を含有する塗料１４３を刷毛などで塗布するようにしてもよく、磁性粉末を含有する塗料１４３をスプレーなどにより吹き付けてもよく、また、印刷によってコーティングするようにしてもよい。また、図示は省略するが、天板の外表面１２０ａと底板の外表面１１０ａとではなく、天板の内表面１２０ｂと底板の内表面１１０ｂとに磁性粉末を含有する塗料１４３をコーティングするようにしてもよい。
【０１００】
また、図８（ｅ）は、ケース部材１０１の内部にインサート成形によりシート状の軟磁性金属部材からなる磁性部材１４０をインサート成型したものであり、それによって保管ケース１００Ａに磁気シールド機能を持たせるようにした例である。
【０１０１】
また、図８（ｆ）は、ケース部材１０１の内部に軟磁性金属材料からなる磁性粉末１４４を分散したものであり、それによって保管ケース１００Ａに磁気シールド機能を持たせるようにした例である。
【０１０２】
図８（ａ）〜図８（ｆ）に示すような構成としても保管ケース１００Ａは磁気シールド機能を有するものとなり、十分な磁気シールド効果が得られる。
なお、図８（ａ）〜図８（ｄ）においては、保管ケース１００Ａの側面については磁気シールド機能を持たせていないが、保管ケース１００Ａの側面においても、図８（ａ）〜図８（ｄ）と同様の手段によって磁気シールド機能を持たせることが可能である。
【０１０３】
また、図８においては、実施形態１に係る保管ケース１００Ａを例にとって説明したが、実施形態２に係る保管ケース１００Ｂにおいても同様に実施可能であることは勿論である。
【０１０４】
（３）実施形態１に係る保管ケース１００Ａにおいては、蓋体１２０は、筐体１１０に対してヒンジ部１３０を支点に回動するような構造としたが、蓋体１２０は筐体１１０に対して横方向にスライド可能なものであってもよく、また、蓋体１２０と筐体１１０とが分離しているものであってもよい。
【０１０５】
（４）実施形態１に係る保管ケース１００Ａ及び実施形態２に係る保管ケース１００Ｂの形状は、直方体である場合を例示したが、直方体に限られるものではなく、立方体、かまぼこ型及び円筒形など種々の形状とすることができる。
【０１０６】
（５）実施形態１に係る保管ケース１００Ａは、筐体１１０及び蓋体１２０がそれぞれ合成樹脂製である場合を例示したが、合成樹脂製に限られるものではなく、筐体１１０及び蓋体１２０そのものが磁性部材からなるものであってもよい。また、実施形態２に係る保管ケース１００Ｂは、筐体１５０及び引き出し部１６０がそれぞれ合成樹脂製である場合を例示したが、この場合も、筐体１５０及び引き出し部１６０そのものが磁性部材からなるものであってもよい。
【０１０７】
（６）実施形態１に係る保管ケース１００Ａ及び実施形態２に係る保管ケース１００Ｂにおいては、磁性部材１４０として、パーメンジュール、パーマロイ類、鉄、鉄−ケイ素系合金又は磁性鋼などの磁性金属材料を例示したが、これ以外の磁性部材であってもよい。また、磁性部材１４０は透明の磁性部材（例えば、酸化テルビウムを含む透明磁性ガラスなど）であってもよい。透明の磁性部材を用いた場合には、保管ケースの内部がどの方向からも目視できるようになる。このため、例えば、永久磁石を収納する保護ケースが金、白金又はパラジウムなど貴金属として価値のある材料で製造されている家庭用永久磁石磁気治療器の場合には、このような家庭用永久磁石磁気治療器が保管ケースに収納されていると、保管ケース内の家庭用永久磁石磁気治療器が貴金属のように見えるので、保管ケースを「貴金属入れ」のような感覚で用いることができる。
【符号の説明】
【０１０８】
１００Ａ，１００Ｂ・・・保管ケース（家庭用永久磁石磁気治療器保管ケース）、１０１・・・ケース部材、１１０，１５０・・・筐体、１２０・・・蓋体、１３０…ヒンジ部、１４０・・・磁性部材、１４２・・・磁性粉末が分散されている樹脂シート、１４３・・・磁性粉末を含有する塗料、１６０・・・引き出し部、２００・・・磁気治療器ホルダー（家庭用永久磁石磁気治療器ホルダー）、２１０・・・凹部、２２０・・・取り出し棒、２３０・・・取り出し棒保持部、３００・・・家庭用永久磁石磁気治療器
【図１】
0003157642.tif 000003
【図２】
0003157642.tif 000004
【図３】
0003157642.tif 000005
【図４】
0003157642.tif 000006
【図５】
0003157642.tif 000007
【図６】
0003157642.tif 000008
【図７】
0003157642.tif 000009
【図８】
0003157642.tif 000010
【図９】
0003157642.tif 000011
【図１０】
0003157642.tif 000012